(57)【要約】【課題】作動中に自由振動を実施できる転炉作動方法を提供すること。【解決手段】転炉（１）が支持ジャーナル（２）によって支持リング（３）に支承されて、その支持ジャーナル（２）に伝動装置（４）が浮動的に支承されていて、転炉（１）が水平軸線を中心に傾斜可能に形成され、伝動装置（４）がトルク支持体（５）によって基礎（６）としっかりと連結される転炉（１）を作動する方法において、  トルク支持体（５）が転炉（１）の傾斜作用の際に伝動装置（４）が基礎（６）と連結し、そしてトルク支持体（５）が転炉（１）の作動中に基礎（６）から或いは伝動装置（４）から或いは両方から解放される。
2010506039.tif 000002
【特許請求の範囲】
【請求項１】
転炉（１）が支持ジャーナル（２）によって支持リング（３）に支承されて、その支持ジャーナル（２）に伝動装置（４）が浮動的に支承されていて、転炉（１）が水平軸線を中心に傾斜可能に形成され、伝動装置（４）がトルク支持体（５）によって基礎（６）としっかりと連結される転炉（１）を作動する方法において、
トルク支持体（５）が転炉（１）の傾斜作用の際に伝動装置（４）が基礎（６）と連結し、そしてトルク支持体（５）が転炉（１）の作動中に基礎（６）から或いは伝動装置（４）から或いは両方から解放されることを特徴とする方法。
【請求項２】
トルク支持体（５）と平行に転炉（１）の作動中に衝撃減衰器が使用されることを特徴とする請求項１に記載の方法。
【請求項３】
トルク支持体（５）と平行にばねパケットが傾斜角度を調整するために作動中に設けられていることを特徴とする請求項１に記載の方法。
【発明の詳細な説明】
【技術分野】
【０００１】
この発明は、転炉が支持ジャーナルによって支持リングに支承されて、その支持ジャーナルに伝動装置が浮動的に支承されていて、転炉が水平軸線を中心に傾斜可能に形成され、伝動装置がトルク支持体によって基礎としっかりと連結される転炉作動方法に関する。
【背景技術】
【０００２】
転炉では、液化された銑鉄への酸素の供給によって過剰の炭素が酸化される。この銑鉄が鋼になる。
【０００３】
ドイツ特許出願公開第３８２７３２９号明細書（特許文献１）は、軸ジャーナル上に乗った駆動手段、特に転炉傾斜駆動手段用のトルク支持体を示し、駆動すべき軸ジャーナル上に伝動装置ハウジングが支承されていて、ピニオンを備えて軸ジャーナル上に回転しなく配置された大歯車に係合して駆動モータをフランジ止めさせるか、或いはねじ止めさせる減速歯車装置には、駆動すべき軸ジャーナルの回転軸線に対称的に伝動装置ハウジングに継手軸受により固定された連結ロッドから成り、そのロッド下端がそれぞれに平行に延びていて、通路高さ上に固定的に配置された継手軸受と連結されていて、ロッドを介して互いに連結されている。この際には、連結ロッドが二部材で形成されていて、継手軸受を連結ロッドの間隔を置いて対向位置する自由端に、引張と圧縮を作用させるバネ要素によって連結されていて、バネ要素のばねが機械式手段によって所定値に予め緊張できる。
【０００４】
国際出願公開第０３／０２３０７２号明細書（特許文献２）は、転炉伝動装置の少なくとも一つの駆動歯ピニオンと作用する転炉容器の旋回軸と連結されたリムと、水平軸に配置されて歯部を備えて形成された固定アームの形態における少なくとも一つのリムの歯部で内外旋回可能な固定装置とを包含する。この転炉伝動装置は、固定アームの軸が少なくとも一つの末端軸受に支承されていて、固定アームが動力手段、例えば油圧シリンダによってリムの歯部に力一体に挿入できる、或いは歯部の作用から外され、固定アームの軸がそれぞれに二つの相互に自由回転可能に配置された偏心輪ブッシュにより転炉伝動装置のハウジング内の軸端に支承されていて、それらの独立した回転によって、固定装置並びにリムの両共働する歯領域の相互の理想作用位置が調整できる。
【０００５】
ドイツ特許出願公開第２６５４９０７号明細書（特許文献３）は、転炉の傾斜ジャーナルに吊り下げられる傾斜駆動手段と、弾力的に基礎に支持されるトルク支持体とを備える転炉における装置を示す。この際には、傾斜駆動手段が送風作用中に調整装置によって基礎に固定できる。
【０００６】
欧州特許出願公開第００３１０８号明細書（特許文献４）は、旋回軸を中心に移動自在に支承された伝動装置、特に転炉駆動手段用のトルク支持体を示し、伝動装置が基礎に対して旋回軸の両側に弾性支持装置によって支持されている。この際に、弾性支持装置として圧縮ガスを作用された圧縮媒体ピストンシリンダが設けられていて、その位置が基礎に対して調整装置によって調整できる。
【０００７】
ドイツ特許第３００７９１６号明細書（特許文献５）は、前後揺動する駆動手段、特に転炉駆動手段用のトルク支持体を示し、駆動すべき且つ大歯車を回転しなく支持する軸ジャーナル上には伝動装置ハウジングが支承されていて、伝動装置ハウジングには大歯車を駆動する複数の減速歯車装置がそれぞれの駆動モータによりフランジ止めされ且つ継手を介して軸ジャーナルの回転軸の対向位置する側面には同じ間隔を置いた第一平行レバーが取り付けられ、平行レバーが継手を介して第二同じ固定式連結された平行レバーと連結されていて、一方が斜めに延びている平行レバーを連結して且つばねを備えている少なくとも一つの連結器を備えて、すべての継手が球状継手軸受を有する。このトルク支持体は、第二平行レバーが通常状態で斜めに延びていて、連結器が少なくとも二つのそれぞれに隙間を備える長い部分を含有し、連結器が両平行レバーを連結する継手に連結されることを特徴とする。
【０００８】
ドイツ特許第６０００４７１４号明細書（特許文献６）から、例えば歯車減速装置の要素のように運動学的チェーンの要素の固定部材が知られている。この種の固定部材が例えば製鋼所転炉の平鍋に取り付けられている。
【０００９】
それ故に、転炉が空にするために、浮動して支承された伝動装置によって傾斜されることが知られている。この際には、傾斜トルクの支持が永続的に剛性トルク支持体によって行われ、この支持体が一端では基礎に、他端には伝動装置に固定されている。下槽鏡ノズルを備える転炉が作動中に、即ち酸素の供給の際に移動される鉄泉浴によって激しい振動にさらされる。この励起は広帯域にあらゆる方向に、つまり傾斜方向に行われる。伝動装置を非常に高い衝撃から軽減させるために、大歯車に固定アームが係合され、この固定アームは衝撃がもはや大歯車とピニオンを介して取り出されず、むしろ、直接に伝動装置ハウジングを介してトルク支持体に引き出されることを考慮される。この場合には、高い動力が鋳造台やトルク支持体の基礎に作用し、その動力が鋳造台の支持体や別の装備部材における損傷をまねく。  
【先行技術文献】
【特許文献】
【００１０】
【特許文献１】ドイツ特許出願公開第３８２７３２９号明細書
【特許文献２】国際出願公開第０３／０２３０７２号明細書
【特許文献３】ドイツ特許出願公開第２６５４９０７号明細書
【特許文献４】欧州特許出願公開第００３１０８号明細書
【特許文献５】ドイツ特許第３００７９１６号明細書
【特許文献６】ドイツ特許第６０００４７１４号明細書
【発明の概要】
【発明が解決しようとする課題】
【００１１】
この発明の課題は、上記欠点を回避させる方法を提供することである。
【課題を解決するための手段】
【００１２】
この課題は、この発明によると、請求項１の上位概念による方法ではトルク支持体が転炉の傾斜作用では伝動装置が基礎と連結して、転炉の作動中に基礎から或いは伝動装置から或いは両方から解放されることにより解決される。
【００１３】
構成部材の別の構成はこれに関連する従属請求項から明らかになる。
【発明の効果】
【００１４】
この発明による方法に適切な利点は、転炉は、トルク支持体が離脱されるときに、作動中に自由振動を実施できることである。自由振動の振幅が限定されないままである。自由振動の許可によって作動中にもたらされた動力がもはや基礎に取り出されず、むしろ、運動エネルギーに変換される。基礎とトルク支持体が軽減される。
【００１５】
更なる展開では、トルク支持体に代えて衝撃減衰器が連結されることが企図されている。転炉は減衰された振動を実施する。連結された衝撃減衰器は、無論、剛性トルク支持体の作用を達成することなしにこの減衰器が作動の際に転炉の最高振幅を制限するように設計されている。
【図面の簡単な説明】
【００１６】
【図１】支持リングに支持ジャーナルを備える転炉の側面図を示す。
【発明を実施するための形態】
【００１７】
この発明の実施例は、非常に概略的図面に基づいて詳細に記載される。
【実施例】
【００１８】
唯一の図では、側面図には支持ジャーナル２を備える転炉１が図示されている。転炉１の対向位置する側面上に取り付けられた支持ジャーナル２は支持リング３に支承されている。これによって転炉１のその水平軸を中心とする傾斜が可能とされる。
【００１９】
支持ジャーナル２上には、浮動して伝動装置４が転炉１を傾斜させるように配置されている。伝動装置４が傾斜トルクを支持するためにトルク支持体を介して基礎６と連結されている。基礎６が例えば鋳造台である。傾斜作用中にトルク支持体５が伝動装置４を基礎６と連結し、傾斜トルクを支援させる。
【００２０】
転炉１の作動中、即ち酸素が転炉に取り付けられる時間には、トルク支持体５が伝動装置４或いは基礎６により或いは両方により離脱され、転炉１が自由振動できる。選択的にトルク支持体５と平行に衝撃減衰器が作動時間に構成され得て、それにより転炉の振動が減衰される。
【符号の説明】
【００２１】
１．．．．．転炉
２．．．．．支持ジャーナル
３．．．．．支持リング
４．．．．．伝動装置
５．．．．．トルク支持体
６．．．．．基礎
【図１】
2010506039.tif 000003
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
転炉（１）が支持ジャーナル（２）によって支持リング（３）に支承されて、その支持ジャーナル（２）に伝動装置（４）が浮動的に支承されていて、転炉（１）が水平軸線を中心に傾斜可能に形成され、伝動装置（４）がトルク支持体（５）によって基礎（６）としっかりと連結される転炉（１）を作動する方法において、
トルク支持体（５）が転炉（１）の傾斜作用の際に伝動装置（４）が基礎（６）と連結し、そしてトルク支持体（５）が転炉（１）の作動中に基礎（６）から或いは伝動装置（４）から或いは両方から解放されることを特徴とする方法。
【請求項２】
トルク支持体（５）の代わりに、転炉（１）の作動の際に衝撃減衰器が使用されることを特徴とする請求項１に記載の方法。
【請求項３】
トルク支持体（５）の代わりに、傾斜角度を調整するばねパケットが作動中に設けられていることを特徴とする請求項１に記載の方法。
【国際調査報告】
2010506039.tif 000004
2010506039.tif 000005
2010506039.tif 000006
2010506039.tif 000007
2010506039.tif 000008
2010506039.tif 000009